(57)【要約】【課題】ダイオキシン類に汚染された施設の汚染度合いに基づいて管理レベルを変更し、この変更された管理レベルに基づいて解体作業を行う為、過剰な保護具を着用して過剰に除染区画された焼却処理施設を解体するといった事態を回避でき、よって、効率良く焼却処理施設を解体できる画期的な汚染施設解体方法を提供するものである。【解決手段】ダイオキシン類に汚染された施設を解体する解体方法であって、ダイオキシン類に汚染された施設の汚染度合いを測定し、続いて、この汚染度合いに基づいて管理レベルを設定し、続いて、この管理レベルに基づいて汚染除去作業を行い、続いて、汚染除去作業の確認を前記で測定した汚染度合いに基づいて行い、続いて、この確認作業に基づいて管理レベルの変更を行い、続いて、この変更された管理レベルに基づいて解体作業を行う汚染施設解体方法。【選択図】          図２
2005009256.tif 000002
【特許請求の範囲】
【請求項１】
ダイオキシン類に汚染された施設を解体する解体方法であって、ダイオキシン類に汚染された施設の汚染度合いを測定し、続いて、この汚染度合いに基づいて管理レベルを設定し、続いて、この管理レベルに基づいて汚染除去作業を行い、続いて、汚染除去作業の確認を前記で測定した汚染度合いに基づいて行い、続いて、この確認作業に基づいて管理レベルの変更を行い、続いて、この変更された管理レベルに基づいて解体作業を行うことを特徴とする汚染施設解体方法。
【請求項２】
請求項１記載の汚染施設解体方法において、汚染除去作業の確認は、前記汚染度合いのデータから当該汚染に寄与する度合いの高いデータを抽出し、この抽出された抽出データに基づいて行うことを特徴とする汚染施設解体方法。
【請求項３】
ダイオキシン類に汚染された施設を解体する解体方法であって、ダイオキシン類に汚染された施設のダイオキシン類異性体を測定し、続いて、この測定したダイオキシン類異性体に基づいて管理レベルを設定し、続いて、この管理レベルに基づいて汚染除去作業を行い、続いて、汚染除去作業の確認を前記測定したダイオキシン類異性体のうち当該汚染に寄与する度合いの高いダイオキシン類異性体の確認により行い、続いて、この確認作業に基づいて前記管理レベルの変更を行い、続いて、この変更された管理レベルに基づいて解体作業を行うことを特徴とする汚染施設解体方法。
【請求項４】
請求項３記載の汚染施設解体方法において、汚染除去作業は水による洗浄作業であることを特徴とする汚染施設解体方法。
【請求項５】
請求項４記載の汚染施設解体方法において、洗浄作業に用いる水は循環水であり、この循環水は前記汚染に寄与する度合いの高いダイオキシン類異性体の含有量が所定量以下の水であることを特徴とする汚染施設解体方法。
【請求項６】
請求項５記載の汚染施設解体方法において、前記汚染に寄与する度合いの高いダイオキシン類異性体の含有量が所定量以上の場合は、適宜な手段により所定量以下とすることを特徴とする汚染施設解体方法。
【請求項７】
請求項１〜６いずれか１項に記載の汚染施設解体方法において、管理レベルの設定及び管理レベルの変更は、作業者をダイオキシン類から保護するための保護具の仕様の設定及び変更であることを特徴とする汚染施設解体方法。
【請求項８】
請求項１〜６いずれか１項に記載の汚染施設解体方法において、管理レベルの設定及び管理レベルの変更は、解体作業の作業方法の設定及び変更であることを特徴とする汚染施設解体方法。
【請求項９】
請求項１〜８いずれか１項に記載の汚染施設解体方法において、ダイオキシン類に汚染された施設は廃棄物焼却処理施設であることを特徴とする汚染施設解体方法。
【請求項１０】
請求項３〜９いずれか１項に記載の汚染施設解体方法において、汚染に寄与する度合いの高いダイオキシン類異性体は、ダイオキシン類を構成するポリクロロジベンゾパラジオキシン類，ポリクロロジベンゾフラン類及びコプラナーＰＣＢ類のうちのいずれかの類中の異性体であることを特徴とする汚染施設解体方法。
【請求項１１】
請求項３〜９いずれか１項に記載の汚染施設解体方法において、汚染に寄与する度合いの高いダイオキシン類異性体は、ダイオキシン類を該ダイオキシン類の異性体中に存在する塩素原子数の違いにより区分けし、この塩素原子数の違いにより区分けされたもののうちのいずれかの区分中の異性体であることを特徴とする汚染施設方法。
【発明の詳細な説明】
【０００１】
【発明の属する技術分野】
本発明は、ダイオキシン類に汚染された施設を解体する解体方法に関するものである。
【０００２】
【従来の技術及び発明が解決しようとする課題】
例えば、廃棄物焼却処理施設（以下、単に焼却処理施設という。）を解体する際は、該焼却処理施設がダイオキシン類によって汚染されているため、この焼却処理施設を解体することでダイオキシン類が周囲に飛散することを防止する手段を講じる必要がある。その為、一般的には、焼却処理施設を汚染度合いにより適宜区画（防染区画）し、該防染区画ごとに適正な処置、即ち、例えばビニールシートで覆ったりし（隔離養生）、その後、除染作業を行い、その後、解体作業を行うという手段をとる。
【０００３】
尚、除染作業及び解体作業をする作業者は、ダイオキシン類によって汚染されることを防止するために、適宜な保護具（保護着）を着用して除染作業及び解体作業を行う。
【０００４】
以下に焼却処理施設解体作業について具体的に説明する。尚、図１は従来の焼却処理施設の解体作業のシステムフローである。
【０００５】
先ず、解体しようとする焼却処理施設内の空気や該焼却処理施設に付着した付着物（灰等）を採取して高分解能ガスクロマトグラフィー質量分析計（以下、高分解能ＧＣ−ＭＳという。）による測定で該空気や付着物中のダイオキシン類（ＤＸＮｓ）の異性体と各異性体の濃度を測定する。
【０００６】
続いて、高分解能ＧＣ−ＭＳにより測定した各異性体の濃度に、各々の異性体毎に規定されている毒性係数を乗じて各異性体の毒性等量を得、この毒性等量の総和を総毒性等量として算出し、この総毒性等量によって前記焼却処理施設の汚染度合いを決定し、この汚染度合いに応じて管理レベルを設定する。即ち、汚染除去作業の際の汚染区画及び隔離養生の度合い（例えば、どの区画は汚染度合いが高いから、厳重にビニールシートで覆わなければならないなど）並びに防染作業時及び解体作業時の保護具の仕様（例えば、どの区画は汚染度合いが高いから、密閉度合いの高い保護着を着用しなければならないなど）の選定を行う。続いて、この管理レベルに基づいて、所定の防染区画された部分を所定の保護着を着用して高圧水で除染（洗浄）し該区画内のダイオキシン類を除去する。
【０００７】
続いて、目視により、焼却処理施設内、即ち、各区画内の付着物等が洗浄除去されているかを確認し、この目視確認後に、作業者が上記の管理レベルに基づいて設定された保護具を着用して、即ち、汚染作業時と同じ保護着を着用して各区画（焼却処理施設）を解体する。
【０００８】
ところで、以上から、焼却処理施設の解体は、事前の高分解能ＧＣ−ＭＳによる測定で得られた汚染度合いに応じて選定された管理レベルに基づいて行われる。具体的には、焼却処理施設を除染（洗浄）した後も洗浄前の高分解能ＧＣ−ＭＳによる測定で設定された管理レベルに基づいて解体作業が行われている。
【０００９】
即ち、ダイオキシン類濃度が、洗浄作業によって洗浄前に比し減少しているにも拘わらず、過剰な（重装備の）保護具（保護着）のままで、且つ、過剰に防染区画された状態で焼却処理施設の解体作業が行われている（これは、洗浄作業の確認を目視により行うからである。）。
【００１０】
従って、除染作業により、焼却処理施設の洗浄が達成され、保護具が不要若しくは著しく軽微にでき、隔離養生も撤去若しくは著しく軽微にできるにも拘わらず、過剰な保護具及び過剰な隔離養生で解体作業を行っていることになり、そのため、例えば、除染が十分な為、エアラインホースマスクの着用が本来、不要であるにも拘わらず、これを着用しての解体作業は、作業員に多大な負担を与え、作業効率を著しく低下させ、工期延長の原因ともなっている。
【００１１】
また、過剰に除染区画された状態で解体作業が行われると、工期が長引いたりした場合、区画費用（例えば養生仮設費）がかかる（この養生仮設は、汚染度合いが高い場合にはかなり厳重なものとなり、非常に費用がかかる。）。
【００１２】
上述の問題点を解決するために、焼却処理施設を洗浄した後に、該焼却処理施設内の空気や付着物等を再度、高分解能ＧＣ−ＭＳにより測定して汚染度合いを再度調べ、この汚染度合いに基づいて管理レベルを再設定し、例えば軽微な保護具で、軽微に隔離養生された焼却処理施設を解体する方法も考えられる。
【００１３】
しかしながら、ダイオキシン類の異性体の種類とその濃度を精度良く測定できる高分解能ＧＣ−ＭＳにより測定を行うと、種々の異性体と該異性体の濃度が得られるまでに長時間（一般的にはおよそ１カ月）がかかってしまうという問題点がある。
【００１４】
従って、現状では、除染作業後、除染度合いの確認を高分解能ＧＣ−ＭＳにより行うことはせず、目視確認のみでそのまま解体作業を行う為、結局、過剰な防染区画状態もそのまま維持しなければならなくなり、維持費用がかかってしまうなど実用的であるとは言い難い。
【００１５】
ところで、簡易に短時間でダイオキシン類濃度を測定できるものとして低分解能ＧＣ−ＭＳが知られている。
【００１６】
しかしながら、この低分解能ＧＣ−ＭＳによるダイオキシン類濃度の測定は、高分解能ＧＣ−ＭＳ測定に比して短時間でダイオキシン類の測定を行える反面、あくまでも低分解能であるため、ＭＳスペクトルがブロードし、明確なピークが得られず、これにより、異性体を非常に特定しにくいという問題点がある。尚、この低分解能ＧＣ−ＭＳ測定の測定精度は１ｐｇオーダーであり、測定精度が０．０１ｐｇオーダーの高分解能ＧＣ−ＭＳに比して明らかに劣る。
【００１７】
この低分解能ＧＣ−ＭＳには、相対的に測定精度をある程度高める構成にするため、大量導入装置を用いる方法がある。ただし、大量に固体試料を採取することができない場合などに不適であるという問題点がある。
【００１８】
また、同じく簡易に比較的短時間でダイオキシン類濃度を測定できるものとしてダイオキシン類前駆体測定が知られている。
【００１９】
このダイオキシン類前駆体測定は、ダイオキシン類を合成する前の塩素化合物（前駆体）の種類と濃度を測定し、この測定した前駆体の種類及び各々の濃度からダイオキシン類の発生量を推定する方法である。
【００２０】
しかしながら、このダイオキシン類前駆体測定は、あくまでもダイオキシン類の前駆体を測定するもので、生成したダイオキシン類を測定するものではないために、既に汚染された施設の測定に適用できない問題がある。
【００２１】
従って、前述の低分解能ＧＣ−ＭＳによる測定及びダイオキシン類前駆体測定は、その測定精度，測定原理に問題点があり、結局、除染確認を高分解能ＧＣ−ＭＳによる測定で行う場合と同様に実用的とは言い難い。
【００２２】
本発明は、ダイオキシン類に汚染された施設の汚染度合いに基づいて管理レベルを変更し、この変更された管理レベルに基づいて解体作業を行う為、過剰な保護具を着用して過剰に除染区画された焼却処理施設を解体するといった事態を回避でき、よって、効率良く焼却処理施設を解体できる画期的な汚染施設解体方法を提供するものである。
【００２３】
【課題を解決するための手段】
添付図面を参照して本発明の要旨を説明する。
【００２４】
ダイオキシン類に汚染された施設を解体する解体方法であって、ダイオキシン類に汚染された施設の汚染度合いを測定し、続いて、この汚染度合いに基づいて管理レベルを設定し、続いて、この管理レベルに基づいて汚染除去作業を行い、続いて、汚染除去作業の確認を前記で測定した汚染度合いに基づいて行い、続いて、この確認作業に基づいて管理レベルの変更を行い、続いて、この変更された管理レベルに基づいて解体作業を行うことを特徴とする汚染施設解体方法に係るものである。
【００２５】
また、請求項１記載の汚染施設解体方法において、汚染除去作業の確認は、前記汚染度合いのデータから当該汚染に寄与する度合いの高いデータを抽出し、この抽出された抽出データに基づいて行うことを特徴とする汚染施設解体方法に係るものである。
【００２６】
また、ダイオキシン類に汚染された施設を解体する解体方法であって、ダイオキシン類に汚染された施設のダイオキシン類異性体を測定し、続いて、この測定したダイオキシン類異性体に基づいて管理レベルを設定し、続いて、この管理レベルに基づいて汚染除去作業を行い、続いて、汚染除去作業の確認を前記測定したダイオキシン類異性体のうち当該汚染に寄与する度合いの高いダイオキシン類異性体の確認により行い、続いて、この確認作業に基づいて前記管理レベルの変更を行い、続いて、この変更された管理レベルに基づいて解体作業を行うことを特徴とする汚染施設解体方法に係るものである。
【００２７】
また、請求項３記載の汚染施設解体方法において、汚染除去作業は水による洗浄作業であることを特徴とする汚染施設解体方法に係るものである。
【００２８】
また、請求項４記載の汚染施設解体方法において、洗浄作業に用いる水は循環水であり、この循環水は前記汚染に寄与する度合いの高いダイオキシン類異性体の含有量が所定量以下の水であることを特徴とする汚染施設解体方法に係るものである。
【００２９】
また、請求項５記載の汚染施設解体方法において、前記汚染に寄与する度合いの高いダイオキシン類異性体の含有量が所定量以上の場合は、適宜な手段により所定量以下とすることを特徴とする汚染施設解体方法に係るものである。
【００３０】
また、請求項１〜６いずれか１項に記載の汚染施設解体方法において、管理レベルの設定及び管理レベルの変更は、作業者をダイオキシン類から保護するための保護具の仕様の設定及び変更であることを特徴とする汚染施設解体方法に係るものである。
【００３１】
また、請求項１〜６いずれか１項に記載の汚染施設解体方法において、管理レベルの設定及び管理レベルの変更は、解体作業の作業方法の設定及び変更であることを特徴とする汚染施設解体方法に係るものである。
【００３２】
また、請求項１〜８いずれか１項に記載の汚染施設解体方法において、ダイオキシン類に汚染された施設は廃棄物焼却処理施設であることを特徴とする汚染施設解体方法に係るものである。
【００３３】
また、請求項３〜９いずれか１項に記載の汚染施設解体方法において、汚染に寄与する度合いの高いダイオキシン類異性体は、ダイオキシン類を構成するポリクロロジベンゾパラジオキシン類，ポリクロロジベンゾフラン類及びコプラナーＰＣＢ類のうちのいずれかの類中の異性体であることを特徴とする汚染施設解体方法に係るものである。
【００３４】
また、請求項３〜９いずれか１項に記載の汚染施設解体方法において、汚染に寄与する度合いの高いダイオキシン類異性体は、ダイオキシン類を該ダイオキシン類の異性体中に存在する塩素原子数の違いにより区分けし、この塩素原子数の違いにより区分けされたもののうちのいずれかの区分中の異性体であることを特徴とする汚染施設方法に係るものである。
【００３５】
【発明の作用及び効果】
ダイオキシン類に汚染された施設の汚染度合いを測定し、続いて、この汚染度合いに基づいて管理レベルを設定し、続いて、この管理レベルに基づいて汚染除去作業を行った後、該汚染除去作業後の汚染度合いの確認を、目視で行うのではなく、汚染除去作業前に測定された汚染度合いに基づいて行い、該汚染除去作業後に汚染度合いがどれだけ軽減されたかを確認して、該軽減された汚染度合いに基づいて管理レベルを変更する。
【００３６】
従って、従来法のように、設定した管理レベルを解体作業まで用いず、汚染除去作業によって軽減された汚染度合いに基づく変更管理レベルにより解体作業を行うから、効率良い解体が行えることになる。
【００３７】
また、汚染度合いをダイオキシン類異性体を測定して決定し、このダイオキシン類異性体の中で、当該汚染に寄与する度合いの高いダイオキシン類異性体に基づいて管理レベルの変更を行うと、より効率的な解体作業を行うことができる。
【００３８】
【発明の実施の形態】
図面は本発明の一実施例を図示したものであり、以下に説明する。
【００３９】
本実施例は、ダイオキシン類に汚染された施設として廃棄物焼却処理施設を解体する解体方法に関するものである。
【００４０】
図２は、本実施例の廃棄物焼却処理施設の解体方法の作業工程を示すシステムフローである。尚、図面は、異性体分布特性解析（特性異性体の決定）を、ダイオキシン類（ＤＸＮｓ）の測定後で且つ管理レベルの設定前に行うが、この異性体分布特性解析（特性異性体の決定）は、除染（汚染除去作業）の確認前であれば、いつ行っても良い。
【００４１】
先ず、廃棄物焼却処理施設（以下、単に焼却処理施設という。）の汚染度合いを測定する（図２におけるＤＸＮｓの測定。）。
【００４２】
具体的には、焼却処理施設内の空気（以下、汚染空気という。）中若しくは該焼却処理施設に付着した付着物（焼却灰等）中のダイオキシン類の異性体の特定及び各異性体の濃度を測定する。
【００４３】
本実施例では、汚染度合いの測定を、汚染空気若しくは付着物を試料として行うこととしたが、汚染空気及び付着物の両方を試料として採取して汚染度合いの測定を行っても良い。
【００４４】
また、この測定を汚染空気とした場合には、後の汚染確認の際の測定も汚染空気とし、また、この測定を付着物とした場合には、後の汚染確認の際の測定も付着物とし、また、この測定を汚染空気及び付着物とした場合には、後の測定も汚染空気及び付着物とする。
【００４５】
詳述すると、汚染空気若しくは付着物を高分解能ＧＣ−ＭＳにより測定することで、該汚染空気中若しくは付着物中に存在するダイオキシン類の異性体を特定し、且つ、各異性体の濃度を測定する。
【００４６】
そして、この高分解能ＧＣ−ＭＳにより測定したダイオキシン類の各異性体の濃度に、各異性体ごとに定められている毒性係数（ＴＥＦ）を乗じて各異性体の毒性等量（ＴＥＱ）を算出し、該各異性体の毒性等量を総じることで総毒性等量（ＴＥＱ）を求め、該総毒性等量によって前記汚染空気若しくは付着物を採取した部位の汚染度合いを決定する（図３参照）。
【００４７】
尚、この毒性係数とは、ダイオキシン類の中で最も毒性が強いとされる２，３，７，８−ＴＣＤＤ（２，３，７，８−テトラクロロジベンゾパラジオキシン）の毒性を１としたときの相対的な毒性を示す数値である。
【００４８】
続いて、この汚染度合いに基づいて管理レベルを設定する。
【００４９】
この管理レベルの設定は、汚染空気若しくは付着物を採取した部位における汚染度合いの高低により設定される。
【００５０】
即ち、『「廃棄物焼却施設解体作業マニュアル」（社）日本保安用品協会、厚生労働省労働基準局化学物質調査課編』に設定された基準に基づくものとする。
【００５１】
続いて、設定された管理レベルをもとに焼却処理施設を防染区画（隔離養生）する。
【００５２】
即ち、防染区画は、ビニールシート等の養生部材を用いてビームテント工法等により養生することで行う。
【００５３】
具体的には、例えば、管理レベルが高く設定された場合には、焼却処理施設は防染性を有するビニールシート等により厳重に密閉された隔離養生とする。
【００５４】
この際、焼却処理施設を隔離密閉した場合には、クリーンルームを設置して該クリーンルームから出入りを行う。
【００５５】
これにより、焼却処理施設からのダイオキシン類の外部への飛散等を防止することができる。
【００５６】
続いて、設定された管理レベルをもとに汚染除去作業を行う。
【００５７】
汚染除去作業を行う際には、設定された管理レベルに基づいて作業者をダイオキシン類から保護するための所定の保護着を設定（選択）し、該設定（選択）した保護着を着用して前記汚染除去作業を行う。
【００５８】
例えば、管理レベルが高く設定された場合には、作業者は、防染度合いは高いが非常に動きにくい密閉型化学防護服，化学防護手袋，化学防護長靴及び保護帽を着用し、更に、プレッシャデマンド型エアラインマスクを装着して外部からのきれいな空気の供給を受けながら汚染除去作業を行う。
【００５９】
一方、管理レベルが低く設定された場合には、防染度合いは低いが非常に動きやすい開放型防護服，化学防護手袋，化学防護長靴及び保護帽を着用し、更に、簡易な取り替え式防塵マスクを装着して汚染除去作業を行う。
【００６０】
汚染除去作業は、焼却処理施設の汚染部位を高圧水洗浄（例えば３００乃至２０００ｋｇ／ｃｍ２）することで行われる。尚、本実施例では、汚染除去作業を高圧水洗浄により行うこととしたが、ダイオキシン類を含む汚染物質（汚染水等）を吸収材により吸着して除去したり、ダイオキシン類を含む汚染物質（焼却灰等）をスコップ，ほうき，掃除機等により除去することで行うこととしても良い。
【００６１】
また、汚染除去作業の際に発生する洗浄排水は、水処理を行って循環利用する。循環利用にあたっては、汚染度合いを測定して水の品質を確認し、管理基準（例えば排水基準）をクリアーしている場合には循環利用し、クリアーしていない場合は浄化処理する。
【００６２】
この汚染度合いの測定は、後述の総毒性等量に寄与する度合いの高い異性体をもとに測定する。
【００６３】
また、この浄化処理は、専用の排水処理設備によりダイオキシン類及び重金属類を目標値以下に処理することで行われる。
【００６４】
従って、洗浄に利用した水を再利用することができ、更に、最終的に余剰となる洗浄水を排水処理など適正に処理することができる。
【００６５】
続いて、汚染除去作業の確認を前記汚染度合いに基づいて行う。
【００６６】
即ち、汚染除去作業の確認は、前記汚染度合いのデータ（ＤＸＮｓの測定により求めた異性体分布特性）から総毒性等量に寄与する度合いの高い異性体（寄与率の高い異性体）を抽出し、この抽出された異性体の毒性等量を算出して行われる。
【００６７】
尚、ダイオキシン類は、測定箇所によって検出される異性体の種類，量が異なる。
【００６８】
具体的には、高分解能ＧＣ−ＭＳにより測定した所定部位に存在するダイオキシン類の異性体の濃度と、各異性体に定められた毒性係数とから求めた総毒性等量から、該総毒性等量に寄与する度合いの高い異性体（該毒性等量を有する異性体）を特定し、汚染除去作業後に、該特定した異性体を対象に所定部位の空気若しくは付着物を再度高分解能ＧＣ−ＭＳにより測定して該特定した異性体の毒性等量を求め、汚染除去作業によって前記所定部位からダイオキシン類がどれだけ除去されたかの確認を行う。
【００６９】
つまり、汚染除去作業前の高分解能ＧＣ−ＭＳによる測定（ＤＸＮｓの測定）は、ダイオキシン類の全ての異性体を対象として行われるため、各種異性体の特定とその濃度を測定するのに長時間（およそ１カ月）を要するが、汚染除去作業後の高分解能ＧＣ−ＭＳによる測定は、特定した異性体のみを対象として行うため、短時間（およそ１週間）で簡易に行うことができる。
【００７０】
従って、所定部位における総毒性等量に最も寄与する度合いが高い異性体を特定し、該異性体の毒性等量が汚染除去作業によってどれだけ軽減されたかを確認することで、該所定部位の総毒性等量がどれだけ軽減されたかを相対的に求めることができる。また、本実施例はＤＸＮｓの測定と同様、高分解能ＧＣ−ＭＳで汚染作業後の確認を行うため、精度良く（０．０１ｐｇオーダー）汚染除去作業の確認を行うことができる。更に、例えば、汚染除去作業後に、長時間（およそ一カ月）をかけてダイオキシン類の全ての異性体を対象として高分解能ＧＣ−ＭＳによる測定を行う方法と比べ、本実施例は、特定した異性体のみを対象とするから、短時間（およそ一週間）で測定できる。
【００７１】
また、汚染除去作業前の高分解能ＧＣ−ＭＳにより求めた汚染度合いのデータ（異性体分布特性）から、該汚染に寄与する度合いの高いデータを抽出しづらい場合、即ち、例えば高分解能ＧＣ−ＭＳによる測定により、所定部位において多数の異性体が確認され、各々の毒性等量を求めたところ、各々の毒性等量が比較的近い値（近い割合）であり、これにより、総毒性等量に寄与する度合いの高い異性体を明確に特定できない場合には、ダイオキシン類の種々の異性体を、その性質によりいくつかの区分に区分けし、この区分けされた種々の異性体の毒性等量により、前記所定部位における総毒性等量に寄与する度合いの高い異性体区分（異性体群）を特定し、この特定した異性体区分（異性体群）の毒性等量が汚染除去作業によってどれだけ軽減されたかを確認することで該汚染除去作業の確認を行うことができる。
【００７２】
即ち、汚染に寄与する度合いの高いデータの抽出を、ダイオキシン類を構成するポリクロロジベンゾパラジオキシン類（ＰＣＤＤｓ），ポリクロロジベンゾフラン類（ＰＣＤＦｓ）及びコプラナーＰＣＢ類（Ｃｏ−ＰＣＢｓ）のうちのいずれかの類中の異性体量を抽出することで行う（図３をポリクロロジベンゾパラジオキシン類，ポリクロロジベンゾフラン類，コプラナーＰＣＢ類に３区分した図４参照）。
【００７３】
具体的には、汚染除去作業前に高分解能ＧＣ−ＭＳによる測定で求めた汚染度合いのデータ（異性体分布特性）から当該汚染（総毒性等量）に寄与する度合いの高いデータ（異性体）を抽出する際、前記汚染度合いのデータを、ダイオキシン類を構成するポリクロロジベンゾパラジオキシン類，ポリクロロジベンゾフラン類及びコプラナーＰＣＢ類の３区分に区分けし、この３区分に区分けされた異性体群のうち、総毒性等量に寄与する度合いの高い区分の異性体群を特定する。
【００７４】
そして、汚染除去作業後に、この特定した異性体群を対象に、汚染除去作業を行った所定部位の汚染空気若しくは付着物を高分解能ＧＣ−ＭＳにより再度測定することで、該異性体群の毒性等量が汚染除去作業によってどれだけ軽減されているかを求め、これにより、前記所定部位の総毒性等量を相対的に求める。
【００７５】
従って、総毒性等量に寄与する度合いの高い異性体を特定することが難しい場合であっても、該汚染度合いのデータを、前述のわずか３区分に区分けすることで、総毒性等量に寄与する度合いの高い異性体群を特定し易くし、該異性体群の異性体量を高分解能ＧＣ−ＭＳにより求めることで、所定部位の総毒性等量を相対的に精度良く（０．０１ｐｇオーダーで）求めることができる。
【００７６】
また、同じく総毒性等量に寄与する度合いの高い異性体を特定することが難しい場合に、ダイオキシン類の異性体を、該異性体１分子中に含有される塩素数の違いによって区分けすることで該汚染に寄与する度合いの高い異性体を抽出することもできる。
【００７７】
即ち、前記汚染度合いのデータ（異性体分布特性）から当該汚染（総毒性等量）に寄与する度合いの高いデータを抽出する際、前記汚染度合いのデータをダイオキシン類の異性体に含有される塩素原子数の違いにより区分けし、この塩素原子数の違いにより区分けされた汚染度合いのデータから最も汚染度合い（総毒性等量）に寄与する度合いの高い区分を前記抽出データとして抽出する（図３を塩素原子数の違いにより区分けした図５参照）。
【００７８】
具体的には、汚染除去作業前に高分解能ＧＣ−ＭＳによる測定で求めた異性体を、該異性体の各々が有する塩素原子数の違いによって区分けし、該区分けされた異性体群のうち総毒性等量に寄与する度合いの高い異性体群の異性体量を特定する。
【００７９】
そして、汚染除去作業後に、この特定した異性体群を対象に、汚染除去作業を行った所定部位の汚染空気若しくは付着物を高分解能ＧＣ−ＭＳにより再度測定することで、該異性体群の毒性等量が汚染除去作業によってどれだけ軽減されたかを求め、これにより、前記所定部位の総毒性等量を相対的に求める。
【００８０】
従って、総毒性等量に寄与する度合いの高い異性体を特定することが難しい場合であっても、異性体を該異性体に含有される塩素原子数の違いによっていくつかの区分に区分けすることで、総毒性等量に寄与する度合いの高い異性体群を特定し、該異性体群の異性体量を高分解能ＧＣ−ＭＳにより求めることで、所定部位の総毒性等量を相対的に精度良く（０．０１ｐｇオーダーで）求めることができる。
【００８１】
続いて、汚染除去作業の確認作業をもとに、管理レベルの変更を行う。
【００８２】
即ち、汚染除去作業後に、前述の確認作業により、所定部位の汚染度合い（総毒性等量）が十分に軽減されている場合には、それに応じて管理レベルを下げる。
【００８３】
一方、所定部位の汚染度合い（総毒性等量）が軽減されていない場合には、再び汚染除去作業を行うか、若しくは、汚染除去作業前の管理レベルを維持する。
【００８４】
続いて、この変更された管理レベルをもとに解体作業を行う。
【００８５】
即ち、例えば、変更された管理レベルをもとに、焼却処理施設の解体作業方法を軽微なものに変更し（例えば鋼材の溶断で火器の使用が禁じられ、人力作業で行っていたものを火器の使用が可能な作業方法に変更し）、防染度合いが高いが非常に動きにくい密閉型化学防護服を非常に動き易い開放型防護服に変更し、外部と連結状態となるプレッシャデマンド型エアラインマスクを外部と連結されない簡易な取り替え式防塵マスクに変更して解体作業を行う。
【００８６】
本実施例は前述のようにするから、焼却処理施設を高分解能ＧＣ−ＭＳによる測定で求めた汚染度合い（異性体分布特性）を利用し、汚染除去作業後に、予め特定した総毒性等量に寄与する度合いの高い異性体若しくは異性体群の濃度を対象に、高分解能ＧＣ−ＭＳにより測定して毒性等量を求めるだけで、該所定部位における汚染除去作業後の汚染度合いを容易に確認でき、該確認した汚染度合いに基づいて管理レベルを容易に変更でき、よって、変更した管理レベルをもとに解体作業を効率良く行うことができる。
【００８７】
本実施例は、前述のように、汚染除去作業を行った後に、予め特定した、汚染除去作業を行った部位における総毒性等量に寄与する度合いの高いダイオキシン類の異性体若しくは異性体群を、高分解能ＧＣ−ＭＳにより測定することで、該汚染除去作業を行った部位のダイオキシン類がどれだけ除去されているかを、簡易に短時間で確認することができるため、従来のように、汚染除去作業前に設定された管理レベルのままで解体作業までを一貫して行う必要がなく、即ち、過剰な保護具（保護着）を作業者が着用して過剰に隔離密閉された焼却処理施設を解体する必要がない。
【００８８】
また、汚染除去作業後に、管理レベルを低いレベルに設定することができるため、作業者の保護具（保護着）を動き易く、作業がし易い保護具に変更して解体作業が行えるため、作業効率を飛躍的に向上させて工期を短縮することができる。
【００８９】
また、汚染除去作業後に、管理レベルを低いレベルに設定することができるため、解体作業の作業方法をより簡易な方法とすることができ、よって、解体作業をスピィーディに行って更に工期を短縮させてコスト安に焼却処理施設を解体することができる。
【００９０】
更に、この管理レベルの変更は、ＤＸＮｓの測定から求めた特定の異性体若しくは異性体群についてのみ、高分解能ＧＣ−ＭＳにより測定することで行えるから簡易に行うことができ、しかも、短時間で行えるため作業が長期間に亙って中断してしまうことがない。
【００９１】
しかも、高分解能ＧＣ−ＭＳによる測定で精度良く得られたデータに基づいて求めた汚染度合いに寄与する度合いの高い特定異性体若しくは特定異性体群を対象に高分解能ＧＣ−ＭＳにより除染後の総毒性等量を求めるため、高い精度（０．０１ｐｇオーダー）で除染の確認を行うことができる。
【００９２】
また、特定異性体（特定異性体群）分析に引き続き、高分解能ＧＣ−ＭＳ測定法によるダイオキシン類測定が可能であり、解体発生材の処理区分の判別を速やかに行うことができる。
【００９３】
また、特定異性体（特定異性体群）分析により、汚染除去作業の際に循環利用する循環処理水の品質の管理を簡易且つ十分に行うことができる。
【００９４】
即ち、汚染除去作業の際に生じた洗浄排水を、この汚染除去作業を行った部位の総毒性等量に寄与する度合いの高い異性体若しくは異性体群を対象に、高分解能ＧＣ−ＭＳにより測定することで、洗浄排水中にダイオキシン類がどれだけ含まれているかを簡易に確認でき、これにより、洗浄排水が循環利用し得る状態であるか否かを容易に判断することができる。
【００９５】
焼却処理施設解体工事においては、事前調査において公定法（高分解能ＧＣ−ＭＳ等）によるダイオキシン類濃度測定を行うことから、対象施設において発生したダイオキシン類の異性体分布特性が把握できる。この異性体分布特定に着目し、洗浄の確認を目視確認及び公定法によるダイオキシン類測定を総毒性等量に寄与率の高い異性体の測定に代替することにより、公定法と同等の精度（０．０１ｐｇオーダー）でダイオキシン類濃度を高精度且つ短時間で特定することができる。その結果、工程を中断することなく管理区域の変更が可能となり、以下のような効果が得られる。
【００９６】
▲１▼個人保護具の軽微化による作業効率の向上
▲２▼解体工法の制約解除による作業効率の向上
▲３▼作業効率の向上、及び分析時間短縮による工期短縮
▲４▼密閉養生仮設費の節減
▲５▼洗浄確認の精度確保
【００９７】
また、本方法は、特定異性体分析に引き続き、公定法による分析フローに乗せることができるため、必要に応じて公定法による確認が速やかに実施でき、更に解体物の破棄物受入基準の検査を同時に実施できる効果も有する。
【００９８】
焼却処理施設解体工事における洗浄作業は高圧水による方法を用いる場合が多い。この場合、洗浄排水は仮設の水処理施設で浄化し循環利用する。このとき、循環処理水の利用による洗浄作業者のダイオキシン類暴露防止も考慮される必要があり、本方法の適用により高精度の循環処理水の品質管理が実施できる。
【図面の簡単な説明】
【図１】従来例の焼却処理施設の解体作業に関するシステムフローである。
【図２】本実施例の廃棄物焼却処理施設の解体方法に関するシステムフローである。
【図３】本実施例の汚染除去作業前に高分解能ＧＣ−ＭＳによる測定で求めた汚染度合い、即ち、異性体別の総毒性等量（ＴＥＱ）を示すグラフである。
【図４】本実施例の図３を、ダイオキシン類を構成するポリクロロジベンゾパラジオキシン類，ポリクロロジベンゾフラン類，コプラナーＰＣＢ類の３つの区分に区分けした場合のグラフである。
【図５】本実施例の図３を、ダイオキシン類の異性体異分子中に含まれる塩素数の違いで区分けした場合のグラフである。
【図１】
2005009256.tif 000003
【図２】
2005009256.tif 000004
【図３】
2005009256.tif 000005
【図４】
2005009256.tif 000006
【図５】
2005009256.tif 000007